(57)【要約】【課題】  光源の発光光量の変化に対して反射光の光量を略リニアに変化させることができる光源装置を提供する。【解決手段】  光源装置３００は、光源と、該光源からの光の光路上に配置され、該光を整形するアパーチャと、アパーチャで整形された光の光路上に配置され、入射光を透過光と反射光に分岐する平板状の光路分岐素子１１９と、を備え、２×ｄ×ｃｏｓθ×ｔａｎ［ａｒｃｓｉｎ（ｓｉｎθ÷ｎ）］＞０．５×Ｄが成立する。但し、ｄ：光路分岐素子の厚さｎ：光路分岐素子の屈折率θ：光路分岐素子に対する入射光の入射角Ｄ：アパーチャの開口径【選択図】図６
2018005162.tif 000002
【特許請求の範囲】
【請求項１】
光源と、
前記光源からの光の光路上に配置され、該光を整形するアパーチャと、
前記アパーチャで整形された光の光路上に配置され、入射光を透過光と反射光に分岐する平板状の分岐素子と、を備え、
２×ｄ×ｃｏｓθ×ｔａｎ［ａｒｃｓｉｎ（ｓｉｎθ÷ｎ）］＞０．５×Ｄが成立することを特徴とする光源装置。
但し、ｄ：分岐素子の厚さ
ｎ：分岐素子の屈折率
θ：分岐素子に対する入射光の入射角
Ｄ：アパーチャの開口径
【請求項２】
光源と、
前記光源からの光の光路上に配置され、入射光を透過光と反射光に分岐する平板状の分岐素子と、を備え、
２×ｄ×ｃｏｓθ×ｔａｎ［ａｒｃｓｉｎ（ｓｉｎθ÷ｎ）］＞０．５×Ｄが成立することを特徴とする光源装置。
但し、ｄ：分岐素子の厚さ
ｎ：分岐素子の屈折率
θ：分岐素子に対する入射光の入射角
Ｄ：入射光の有効ビーム径
【請求項３】
光源と、
前記光源からの光の光路上に配置され、入射光を透過光と反射光に分岐する平板状の分岐素子と、を備え、
２×ｄ×ｃｏｓθ×ｔａｎ［ａｒｃｓｉｎ（ｓｉｎθ÷ｎ）］＞０．５×Ｄが成立することを特徴とする光源装置。
但し、ｄ：分岐素子の厚さ
ｎ：分岐素子の屈折率
θ：分岐素子に対する入射光の入射角
Ｄ：入射光のビーム径
【請求項４】
前記光源と前記分岐素子との間の光の光路上に配置され、該光を整形するアパーチャを更に備え、
前記アパーチャの開口径によってＤが設定されることを特徴とする請求項２又は３に記載の光源装置。
【請求項５】
前記分岐素子は、反射防止膜を有していないことを特徴とする請求項１〜４のいずれか一項に記載の光源装置。
【請求項６】
前記光源は、偏光光源であり、
前記入射光が前記分岐素子に対してｐ偏光となるように前記光源及び前記分岐素子が配置されていることを特徴とする請求項１〜５のいずれか一項に記載の光源装置。
【請求項７】
前記反射光のうち、前記分岐素子の射出側の面で反射され入射側の面から射出された光を遮光する遮光部材を更に備えることを特徴とする請求項１〜６のいずれか一項に記載の光源装置。
【請求項８】
前記受光素子の受光面の大きさは、前記反射光のうち、前記分岐素子の入射側の面で反射された光及び射出側の面で反射された光を受光可能な大きさに設定されていることを特徴とする請求項１〜７のいずれか一項に記載の光源装置。
【請求項９】
前記光源は、複数有り、
前記複数の光源は、発光波長が互いに異なり、
前記複数の光源と前記分岐素子との間の光の光路上に配置され、前記複数の光源からの光を合成する合成手段を更に備えることを特徴とする請求項１〜８のいずれか一項に記載の光源装置。
【請求項１０】
前記複数の光源は、赤色光を射出する光源、緑色光を射出する光源及び青色光を射出する光源を含むことを特徴とする請求項９に記載の光源装置。
【請求項１１】
前記反射光の少なくとも一部を受光する受光素子を更に備えることを特徴とする請求項１〜１０のいずれか一項に記載の光源装置。
【請求項１２】
前記受光素子での受光光量に基づいて前記光源からの光の波長を推定する推定手段を更に備えることを特徴とする請求項１１に記載の光源装置。
【請求項１３】
前記光源の周辺の雰囲気温度を計測する温度センサを更に備え、
前記推定手段は、前記受光光量及び前記温度センサでの計測温度に基づいて前記波長を推定することを特徴とする請求項１２に記載の光源装置。
【請求項１４】
前記推定手段で推定された前記波長に基づいて、前記光源の発光光量を設定する発光光量設定手段を更に備えることを特徴とする請求項１２又は１３に記載の光源装置。
【請求項１５】
前記光源は、半導体レーザであることを特徴とする請求項１〜１４のいずれか一項に記載の光源装置。
【請求項１６】
請求項１〜１５のいずれか一項に記載の光源装置と、
前記光源装置からの光により画像を形成する画像形成素子と、
前記画像を形成した光が照射されるスクリーンと、を備える画像表示装置。
【請求項１７】
前記スクリーンを介した光を透過反射部材に向けて投射する投光部を更に備える請求項１６に記載の画像表示装置と、
前記画像表示装置が搭載される物体と、を備える物体装置。
【請求項１８】
前記物体は、移動体であることを特徴とする請求項１７に記載の物体装置。
【発明の詳細な説明】
【技術分野】
【０００１】
本発明は、光源装置、画像表示装置及び物体装置に関する。
【背景技術】
【０００２】
従来、光源からの光を透過光と反射光に分岐し、該反射光の光量に基づいて光源の発光光量を制御する装置が知られている（例えば特許文献１参照）。
【０００３】
特許文献１に開示されている装置のような従来の装置では、光源の発光光量を精度良く制御するために、光源の発光光量の変化に対して反射光の光量を略リニアに（略線形に）変化させることが望まれる。
【発明の概要】
【発明が解決しようとする課題】
【０００４】
しかしながら、特許文献１に開示されている装置では、光源の発光光量の変化に対して反射光の光量を略リニアに変化させることに関して改善の余地があった。
【課題を解決するための手段】
【０００５】
本発明は、光源と、前記光源からの光の光路上に配置され、該光を整形するアパーチャと、前記アパーチャで整形された光の光路上に配置され、入射光を透過光と反射光に分岐する平板状の分岐素子と、を備え、２×ｄ×ｃｏｓθ×ｔａｎ［ａｒｃｓｉｎ（ｓｉｎθ÷ｎ）］＞０．５×Ｄが成立することを特徴とする光源装置。
但し、ｄ：分岐素子の厚さ
ｎ：分岐素子の屈折率
θ：分岐素子に対する入射光の入射角
Ｄ：アパーチャの開口径
【発明の効果】
【０００６】
本発明によれば、光源の発光光量の変化に対して反射光の光量を略リニアに変化させることができる。
【図面の簡単な説明】
【０００７】
【図１】一実施形態のＨＵＤ装置の概略構成を示す図である。
【図２】ＨＵＤ装置の制御系のハードウェア構成を示すブロック図である。
【図３】ＨＵＤ装置の機能ブロック図である。
【図４】ＨＵＤ装置の光偏向器について説明するための図である。
【図５】２次元走査時の走査線軌跡の一例を示す図である。
【図６】ＨＵＤ装置の光源装置について説明するための図である。
【図７】光路分岐素子の入射側面で反射された光（ビームＢ２）と、射出側面で反射された光（ビームＢ４）の１次裏面反射ビームＢ４−１の干渉について説明するための図である。
【図８】駆動電流変化に対する受光光量変化を示すグラフであって、駆動電流変化に対して受光光量変化が略リニアでない例を示すグラフである。
【図９】１次裏面反射ビームＢ４−１を遮光する遮光部材を設ける例を示す図である。
【図１０】ビームＢ２と１次裏面反射ビームＢ４−１を受光素子に入射させる例を示す図である。
【図１１】駆動電流変化に対する受光光量変化を示すグラフであって、駆動電流変化に対して受光光量変化が略リニアである例を示すグラフである。
【図１２】反射防止コートされている分岐素子の、入射光の波長変化に対する反射率変化を示すグラフである。
【図１３】分岐素子に対してｐ偏光入射させる例について説明するための図である。
【図１４】分岐素子の入射側面の反射率の入射角依存性を示すグラフである。
【図１５】分岐素子の射出側面の反射率の入射角依存性を示すグラフである。
【図１６】基準波長の求め方を説明するための図である。
【図１７】各半導体レーザの発光光量を設定する手順を説明するための色度図である。
【図１８】色光生成処理を説明するためのフローチャートである。
【図１９】発光光量設定処理を説明するためのフローチャートである。
【図２０】変形例１の光源装置を説明するための図である。
【図２１】変形例２の光源装置を説明するための図である。
【図２２】変形例３の光源装置を説明するための図である。
【図２３】ビームＢ２と１次裏面反射ビームＢ４−１の干渉性について説明するための図である。
【発明を実施するための形態】
【０００８】
以下に、一実施形態の画像表示装置としてのＨＵＤ装置１００について図面を参照して説明する。なお、「ＨＵＤ」は「ヘッドアップディスプレイ」の略称である。
【０００９】
図１には、本実施形態のＨＵＤ装置１００の全体構成が概略的に示されている。
【００１０】
《ＨＵＤ装置の全体構成》
ところで、ヘッドアップディスプレイの投射方式は、液晶パネル、ＤＭＤパネル（デジタルミラーデバイスパネル）、蛍光表示管（ＶＦＤ）のようなイメージングデバイスで中間像を形成する「パネル方式」と、レーザ光源から射出されたレーザビームを２次元走査デバイスで走査し中間像を形成する「レーザ走査方式」がある。特に後者のレーザ走査方式は、全画面発光の部分的遮光で画像を形成するパネル方式とは違い、各画素に対して発光／非発光を割り当てることができるため、一般に高コントラストの画像を形成することができる。
【００１１】
そこで、ＨＵＤ装置１００では「レーザ走査方式」を採用している。無論、投射方式として「パネル方式」を用いることもできる。
【００１２】
ＨＵＤ装置１００は、一例として、車両、航空機、船舶等の移動体に搭載され、該移動体のフロントウインドシールド５０（図１参照）を介して該移動体の操縦に必要なナビゲーション情報（例えば移動体の速度、進行方向、目的地までの距離、現在地名称、移動体前方における物体の有無や位置、制限速度等の標識、渋滞情報などの情報）を視認可能にする。この場合、フロントウインドシールド５０は、入射された光の一部を透過させ、残部の少なくとも一部を反射させる透過反射部材としても機能する。以下では、ＨＵＤ装置がフロントウインドシールド５０を備える自動車に搭載される例を、主に説明する。
【００１３】
ＨＵＤ装置１００は、図１に示されるように、光源部１１、光偏向器１５及び走査ミラー２０（例えば凹面鏡）を含む光走査手段１０と、スクリーン３０と、凹面ミラー４０とを備え、フロントウインドシールド５０に対して画像を形成する光（画像光）を照射することにより、視認者Ａ（ここでは自動車の乗員である運転者）の視点位置から虚像Ｉを視認可能にする。つまり、視認者Ａは、光走査手段１０によりスクリーンに形成（描画）される画像（中間像）を、フロントウインドシールド５０を介して虚像Ｉとして視認することができる。
【００１４】
ＨＵＤ装置１００は、一例として、自動車のダッシュボードの下方に配置されており、視認者Ａの視点位置からフロントウインドシールド５０までの距離は、数十ｃｍから精々１ｍ程度である。
【００１５】
ここでは、凹面ミラー４０は、虚像Ｉの結像位置が所望の位置になるように、一定の集光パワーを有するように既存の光学設計シミュレーションソフトを用いて設計されている。
【００１６】
ＨＵＤ装置１００では、虚像Ｉが視認者Ａの視点位置から１ｍ以上かつ１０ｍ以下（好ましくは６ｍ以下）の位置（奥行位置）に表示されるように、凹面ミラー４０の集光パワーが設定されている。
【００１７】
なお、通常、フロントウインドシールドは、平面でなく、僅かに湾曲している。このため、凹面ミラー４０とフロントウインドシールド５０の曲面により、虚像Ｉの結像位置が決定される。
【００１８】
光源部１１では、画像データに応じて変調されたＲ,Ｇ,Ｂの３色のレーザ光が合成される。３色のレーザ光が合成された合成光の一部は、光偏向器１５の反射面に導かれる。光偏向器１５は、半導体製造プロセス等で作製されたＭＥＭＳスキャナであり、直交する２軸周りに独立に揺動可能な単一の微小ミラーを含む。なお、光偏向器１５は、１軸周りに揺動可能な微小ミラーを含むＭＥＭＳスキャナを２つ組み合わせたものであっても良い。また、スキャナとして、ＭＥＭＳスキャナに限らず、例えばガルバノスキャナやポリゴンスキャナを用いても良い。光源部１１、光偏向器１５の詳細は、後述する。
【００１９】
光源部１１からの画像データに応じた光（上記合成光の一部）は、光偏向器１５で偏向され、走査ミラー２０で広がりを抑制されつつ折り返されてスクリーン３０に照射される。そこで、スクリーン３０が光走査され該スクリーン３０上に中間像が形成される。なお、凹面ミラー４０は、フロントウインドシールド５０の影響で中間像の水平線が上または下に凸形状となる光学歪み要素を補正するように設計、配置されることが好ましい。
【００２０】
スクリーン３０を介した光は、凹面ミラー４０でフロントウインドシールド５０に向けて反射される。フロントウインドシールド５０への入射光束の一部はフロントウインドシールド５０を透過し、残部の少なくとも一部は視認者Ａの視点位置（アイポイント）に向けて反射される。この結果、視認者Ａはフロントウインドシールド５０を介して中間像の拡大された虚像Ｉを視認可能となる。すなわち、視認者から見て虚像Ｉがフロントウインドシールド５０越しに拡大表示される。
【００２１】
なお、フロントウインドシールド５０よりも視認者Ａの視点位置側に透過反射部材としてコンバイナを配置し、該コンバイナに凹面ミラー４０からの光を照射するようにしても、フロントウインドシールド５０のみの場合と同様に虚像表示を行うことができる。
【００２２】
《ＨＵＤ装置の制御系のハードウェア構成》
図２には、ＨＵＤ装置１００の制御系のハードウェア構成を示すブロック図が示されている。ＨＵＤ装置１００の制御系は、図２に示されるように、ＦＰＧＡ６００、ＣＰＵ６０２、ＲＯＭ６０４、ＲＡＭ６０６、Ｉ／Ｆ６０８、バスライン６１０、ＬＤドライバ６１１１、ＭＥＭＳコントローラ６１５を備えている。
【００２３】
ＦＰＧＡ６００は、画像データと、後述する光検出器１１７の出力もしくは信号処理部１２０の出力と、走査光検出部６０の出力とに基づいてＬＤドライバ６１１１を介して後述するＬＤを制御するＬＤ制御回路７００、及びＭＥＭＳコントローラ６１５を介して光偏向器１５を制御する光偏向器制御回路を含む。ＣＰＵ６０２は、ＨＵＤ装置１００の各機能を制御する。ＲＯＭ６０４は、ＣＰＵ６０２がＨＵＤ装置の各機能を制御するために実行する画像処理用プログラムを記憶している。ＲＡＭ６０６は、ＣＰＵ６０２のワークエリアとして使用される。Ｉ／Ｆ６０８は、外部コントローラ等と通信するためのインターフェイスであり、例えば、自動車のCAN（Controller  Area  Network）等に接続される。
【００２４】
《ＨＵＤ装置の機能ブロック》
図３には、ＨＵＤ装置１００の機能を示すブロック図が示されている。ＨＵＤ装置１００は、図３に示されるように、車両情報入力部８００、外部情報入力部８０２、画像データ生成部８０４及び画像描画部８０６を備えている。車両情報入力部８００には、ＣＡＮ等から車両の情報（速度、走行距離、対象物までの距離、外界の明るさ等の情報）が入力される。外部情報入力部８０２には、外部ネットワークから車両外部の情報（ＧＰＳからのナビ情報等）が入力される。画像データ生成部８０４は、車両情報入力部８００及び外部情報入力部８０２から入力される情報に基づいて、描画すべき画像の画像データを生成し、ＦＰＧＡ６００に送る。画像描画部８０６は、制御部８０６０を備え、該制御部８０６０は、ＦＰＧＡ６００に画像描画を開始もしくは終了させるための制御信号を送信する。
【００２５】
《光偏向器の構成》
図４には、光偏向器１５の構成が示されている。光偏向器１５は、半導体プロセスにて製造されたＭＥＭＳスキャナであり、図４に示されるように、反射面を有するミラー１５０と、Ｘ軸方向に並ぶ複数の梁を含み、隣り合う２つの梁が折り返し部を介して蛇行するように接続された一対の蛇行部１５２とを有する。各蛇行部１５２の隣り合う２つの梁は、梁Ａ（１５２ａ）、梁Ｂ（１５２ｂ）とされ、枠部材１５４に支持されている。複数の梁には、複数の圧電部材１５６（例えばＰＺＴ）が個別に設けられている。各蛇行部の隣り合う２つの梁の圧電部材に異なる電圧を印加することで、該蛇行部の隣り合う２つの梁が異なる方向に撓み、それが蓄積されて、ミラー１５０がＸ軸周り（＝垂直方向）に大きな角度で回転することになる。このような構成により、Ｘ軸を中心とした垂直方向の光走査が、低電圧で可能となる。一方、Ｙ軸を中心とした水平方向では、ミラー１５０に接続されたトーションバーなどを利用した共振による光走査が行われる。
【００２６】
以上のように構成される光偏向器１５によって、スクリーン３０の画像描画領域に対してレーザビームが２次元的に走査（例えばラスタースキャン）されるとともに（図５参照）、レーザビームの走査位置に応じてＬＤの発光制御を行うことで画素毎の描画、虚像の表示を行うことができる。なお、図５において、Ｐｓは、走査線ピッチである。
【００２７】
《光走査、虚像表示》
ＨＵＤ装置１００からは、瞬間的にはレーザビーム径に相当する点像しか投射されないが、非常に高速に走査させるため、一フレーム画像内では十分に人間の目に残像が残っている。この残像現象を利用することで、運転者には、あたかも「表示エリア」に像を投射させているように知覚される。実際には、スクリーン３０に映った像が、凹面ミラー４０とフロントウインドシールド５０によって反射されて運転者に「表示エリア」において虚像として知覚される。このような仕組みであるので、像を表示させない場合は、ＬＤの発光を停止すれば良い。つまり、「表示エリア」において虚像が表示される箇所以外の箇所の輝度を実質０にすることが可能となる。
【００２８】
すなわち、ＨＵＤ装置１００による虚像の結像位置は、該虚像を結像可能な所定の「表示エリア」内の任意の位置となる。この「表示エリア」は、ＨＵＤ装置の設計時の仕様で決まる。
【００２９】
このように、「レーザ走査方式」を採用したことにより、表示したい部分以外では、表示の必要がないためＬＤを消灯したり、光量を低下させたりするなどの措置を取ることができる。
【００３０】
これに対して、例えば液晶パネル及びＤＭＤパネルのようなイメージングデバイスで中間像を表現する「パネル方式」では、パネル全体を照明する必要があるため、画像信号としては非表示とするために黒表示であったとしても、液晶パネルやＤＭＤパネルの特性上、完全には０にし難い。そのため、黒部が浮き上がって見えることがあったが、レーザ走査方式ではその黒浮きを無くすことが可能となる。
【００３１】
ここで、図５に示されるように、スクリーン３０における画像描画領域（「有効走査領域」とも呼ぶ）の周辺領域に、走査光検出部６０が設けられている。走査光検出部６０は、光偏向器１５の動作を検出するために設けられ、信号領域に光が照射されることで走査タイミング（ビームの走査位置）を検出し、環境や経時変化に伴う光偏向器１５の特性変化を制御して一定の画質を保つために用いられる。走査光検出部６０としては、例えばフォトダイオードやフォトトランジスタ等を含んで構成される。走査光検出部６０の出力信号は、ＦＰＧＡ６００に送られる。
【００３２】
《光源装置》
以下に、光源部１１について詳細に説明する。図６には、光源部１１の構成が概略的に示されている。以下では、図６等に示されるαβγ３次元直交座標系を適宜用いて説明する。
【００３３】
光源部１１は、一例として図６に示されるように、単数あるいは複数の発光点をそれぞれが有する複数（例えば３つ）の半導体レーザ（光源）を備えている。３つの半導体レーザを、それぞれ半導体レーザ１１１Ｒ、１１１Ｇ、１１１Ｂと呼ぶ。
【００３４】
また、光源部１１は、上記３つの半導体レーザに加えて、複数（例えば３つ）のカップリングレンズ１１２Ｒ、１１２Ｇ、１１２Ｂ、複数（例えば３つ）のアパーチャ１１３Ｒ、１１３Ｇ、１１３Ｂ、反射ミラー１１８、光路合成素子１１４、光路合成素子１１５、光路分岐素子１１９、集光レンズ１１６、受光素子１１７ａなどを備えている。光源部１１の各構成部材は、筐体１１ａに組み付けられている。なお、図６では、反射ミラー１１８、光路合成素子１１４、光路合成素子１１５、光路分岐素子１１９は、別体とされているが、これらの少なくとも２つは一体的に設けられても良い。
【００３５】
各半導体レーザは、発振波長帯域が互いに異なる端面発光型の半導体レーザ（ＬＤ：レーザダイオード）である。すなわち、半導体レーザ１１１Ｒは赤色半導体レーザであり、半導体レーザ１１１Ｇは緑色半導体レーザであり、半導体レーザ１１１Ｂは青色半導体レーザである。ここでは、半導体レーザ１１１Ｒ、１１１Ｇ、１１１Ｂの射出方向はいずれも＋α方向である。各半導体レーザは、ＬＤドライバ６１１１が設けられた回路基板２００に実装されている。
【００３６】
ＬＤ１１１Ｒ、１１１Ｇ、１１１Ｂから射出された光束Ｌｒ、Ｌｇ、Ｌｂは、対応するカップリングレンズ１１２Ｒ、１１２Ｇ、１１２Ｂにより後続の光学系にカップリングされる。
【００３７】
カップリングされた光束は、対応するアパーチャ１１３Ｒ、１１３Ｇ、１１３Ｂにより整形される。各アパーチャの開口形状は、光束の発散角等に応じて円形、楕円形、長方形、正方形等、様々な形状とすることができる。
【００３８】
アパーチャ１１３Ｂを介した光束Ｌｂは、反射ミラー１１８で−β方向に向けて反射され、光路合成素子１１４（例えばダイクロイックプリズムやダイクロイックミラー）に入射する。
【００３９】
アパーチャ１１３Ｇを介した光束Ｌｇは、光路合成素子１１４で光束Ｌｂと光路合成される。詳述すると、反射ミラー１１８を介した光束Ｌｂは光路合成素子１１４の中心を−β方向に透過し、アパーチャ１１３Ｇを介した光束Ｌｇは光路合成素子１１４の中心で−β方向に反射される。
【００４０】
そして、光束Ｌｇと光束Ｌｂが合成された合成光束Ｌｇｂと、アパーチャ１１３Ｒを介した光束Ｌｒとが光路合成素子１１５（例えばダイクロイックプリズムやダイクロイックミラー）で光路合成され、その合成光束Ｌｒｇｂが光路分岐素子１１９に入射される。
【００４１】
合成光束Ｌｒｇｂは、光路分岐素子１１９（プレート型のビームスプリッタ）で透過光束Ｌｒｇｂ１と反射光束Ｌｒｇｂ２に分岐される。
【００４２】
透過光束Ｌｒｇｂ１は、筐体１１ａの開口の周囲部に該開口を覆うように取り付けられた光透過窓部材５を介して光偏向器１５に照射され、スクリーン３０上での画像描画（虚像表示）に用いられる。なお、光路分岐素子１１９と光偏向器１５との間の光路上に、例えば光偏向器１５側に凹面が向くメニスカスレンズを設置しても良い。
【００４３】
反射光束Ｌｒｇｂ２は、集光レンズ１１６を介して光検出器１１７に導かれる。光検出器１１７は、受光した反射光束Ｌｒｇｂ２の光量に応じた信号を後述する信号処理部１２０を介してＬＤ制御回路７００に出力する。光検出器１１７は、受光素子１１７ａと、該受光素子１１７ａの出力電流を電圧信号（受光信号）に変換する電流電圧変換器１１７ｂとを含んで構成される。受光素子１１７ａとしては、例えばフォトダイオード（ＰＤ）やフォトトランジスタを用いることができる。
【００４４】
電流電圧変換器１１７ｂの後段には、受光信号を時間平均する信号処理部１２０が設けられている。信号処理部１２０は、ある時間帯Ｔに入力された受光信号を積算し、その積算値を時間平均し（Ｔで割って）、ＬＤ制御回路７００に出力する。なお、信号処理部１２０は、必須ではなく、電流電圧変換器１１７ｂからの受光信号をＬＤ制御回路７００に直接出力しても良い。
【００４５】
なお、図６から明らかなように、各半導体レーザから光路合成素子１１５までの光路長は互いに異なる。具体的には、半導体レーザ１１１Ｂから光路合成素子１１５までの光路長が最長であり、半導体レーザ１１１Ｒから光路合成素子１１５までの光路長が最短である。これは、虚像で白を構成する際、ＲＧＢの合成比率は約２．５：１：０．５であり、赤の光量が多く必要であり、逆に青の光量は小さくてよいことに由来しており、半導体レーザによる光利用効率の低下を抑制するためである。
【００４６】
ＬＤ制御回路７００は、光検出器１１７もしくは信号処理部１２０の出力に基づいて、半導体レーザ毎の変調信号（パルス信号）を生成し、ＬＤドライバ６１１１に送る。ＬＤドライバ６１１１は、半導体レーザ毎の変調信号に応じた駆動電流を該半導体レーザに印加する。
【００４７】
ここで、半導体レーザの射出光のスペクトル分布は、該半導体レーザの周辺の雰囲気温度、半導体レーザの発光光量に応じて変化し、かつ再現性が乏しい。特に、ＨＵＤ装置では、車両の周辺環境の明暗のダイナミックレンジが大きいため、それに対応するために要求される発光光量の変動による自己温度の変動が大きくなり、かつ時間や車両の位置によって雰囲気温度が変動するため、発振波長が変動してしまう。すなわち、半導体レーザの発振波長には、「自己温度依存性」と「雰囲気温度依存性」がある。
【００４８】
以下では、光源部１１、光検出器１１７、信号処理部１２０、ＬＤ制御回路７００、ＬＤドライバ６１１１を含む装置を「光源装置３００」と称する。
【００４９】
ところで、所望の色光を生成し、虚像を表示させるには、発振波長が異なる３つの半導体レーザから射出される光（射出光）の波長に基づき、各半導体レーザの射出光のパワーバランスを適切に設定する必要がある。
【００５０】
このパワーバランスは、各半導体レーザの射出光の波長に基づき決定されるが、所望のパワーバランスに設定するためには、該半導体レーザの射出光の光量をモニタする必要がある。
【００５１】
ところが、ＨＵＤ装置で用いる半導体レーザは高出力のものが求められるため、低出力の半導体レーザで一般的に採用されているバック光モニタ方式をそのまま転用することは難しい。
【００５２】
そのため、本実施形態では、図６のように３つの半導体レーザ１１１Ｒ、１１１Ｇ、１１１Ｂからの光を合成し、その合成光を光路分岐素子１１９で透過光と反射光に分岐し、該反射光を受光素子１１７ａに導光する方式を採用している。
【００５３】
ここで、光路分岐素子１１９として図６及び図７に示されるようなプレート型のビームスプリッタ、すなわち平板状の透過反射部材を用いる場合、細心の注意を払わなければならないのが、透過反射部材の入射側の面（以下では「入射側面」とも呼ぶ）や射出側の面（以下では「射出側面」とも呼ぶ）で反射した光の干渉である。なお、「透過反射部材」は、前述したように入射光の一部を透過させ、残部の少なくとも一部（他の一部）を反射させる部材を意味する。ここでは、透過反射部材の材料を、光学ガラスもしくは光学樹脂としている。
【００５４】
この光の干渉について図７を用いて説明する。
図７において、光路分岐素子１１９への入射ビームＢ０は、光路分岐素子１１９の入射側面１１９ａで透過ビームＢ１と反射ビームＢ２に分岐される。反射ビームＢ２は、集光レンズ１１６を介して受光素子１１７ａに入射される。
【００５５】
一方、透過ビームＢ１は、一部（ビームＢ３）が光路分岐素子１１９の射出側面１１９ｂを透過して光偏向器１５に向かうが、他の一部（ビームＢ４）が射出側面１１９ｂで反射される。このビームＢ４の一部（１次裏面反射ビームＢ４−１）は入射側面１１９ａを透過し、ビームＢ２と干渉を起こす。ビームＢ４の他の一部は入射側面１１９ａで再び反射するが、２次裏面反射ビーム、３次裏面反射ビーム、…、は急速にエネルギーを損失していくので、ビームＢ２との実質的な干渉を考察するうえでは、ビームＢ４の１次裏面反射ビームＢ４−１との干渉だけを考慮すれば充分である。
【００５６】
このような干渉が起こると、図８に示されるように、受光素子１１７ａでの受光光量Ｐｍｏｎｉは、半導体レーザに注入される電流値ＩＬＤ（駆動電流の電流値）に応じて線形性が維持されずに、うねったような曲線（関数）になる。この場合、半導体レーザから射出されるビーム（射出光）の光量を適切な光量に設定することができず、結果として所望の色の虚像を生成することができない。
【００５７】
ここで、ＬＤ制御回路７００は、受光素子１１７ａでの受光光量Ｐｍｏｎｉをモニタし、半導体レーザから射出されるビーム（射出光）の光量ＰＬＤが所望の光量になるようにＩＬＤを決定する、すなわち半導体レーザの発光光量を決定する。なお、ＰｍｏｎｉとＰＬＤの対応関係は、予め分かっているので、Ｐｍｏｎｉをモニタすれば、所望のＰＬＤになるＩＬＤを一義的に決定することが可能である。
【００５８】
光路分岐素子１１９によって分岐された２つのビームＢ３、Ｂ２において、ビームＢ３の光量をＰ３、ビームＢ２の光量をＰ２とすると、Ｐ３≫Ｐ２となるように設定するのが好ましい。なぜならば、車外の輝度（季節や昼夜によって）に応じてＨＵＤ装置１００の虚像の輝度をダイナミックに変える必要があるし、画像に階調を持たせて、様々な色光を生成する必要もあるからである。
【００５９】
ところが、光路分岐素子１１９の入射側面１１９ａの反射率をＲｉｎ＝１％、射出側面１１９ｂの反射率をＲｏｕｔ＝１％とすると、
Ｐ３＝Ｐ０×（１−Ｒｉｎ）×（１−Ｒｏｕｔ）＝０．９８Ｐ０
Ｐ２＝Ｐ０×Ｒｉｎ＝０．０１Ｐ０
（但し、光路分岐素子１１９への入射ビームＢ０の光量をＰ０、光路分岐素子１１９内部の吸収は無視する。）である。
【００６０】
このように入射ビームＢ０の９８％の光量がＨＵＤ装置１００による虚像の生成に用いられるものの、射出側面１１９ｂで反射されたビームＢ４の光量をＰ４とすると、
Ｐ４＝Ｐ０×（１−Ｒｉｎ）２×Ｒｏｕｔ＝０．０１Ｐ０
であり、ほぼＰ２と同じ光量となる。そして、ビームＢ４の１次裏面反射ビームＢ４−１の光量もＰ２とさほど変わらない。
【００６１】
このため、ビームＢ２と、ビームＢ４の１次裏面反射ビームＢ４−１が干渉を起こし、図８のような結果をもたらす。
【００６２】
受光光量Ｐｍｏｎｉから光量ＰＬＤを推定する場合、ＰｍｏｎｉとＩＬＤの関係がＰＬＤとＩＬＤの関係を相似変換したものになっている必要がある。つまり、図８のようになっていては、ＰｍｏｎｉからＰＬＤを推定することはできない。
【００６３】
そこで、発明者らは、鋭意検討の末、光路分岐素子１１９の厚さｄを適切に設定することにより、図８に示されるうねりの振幅が低減し、干渉の成分を無視できることを見出した。
【００６４】
つまり、厚さｄによって、光路分岐素子１１９の入射側面１１９ａで反射されたビームＢ２とビームＢ４の１次裏面反射ビームＢ４−１を充分に離間させることができ、そもそも干渉をほとんど（実使用上において無視できる程度に）起こさないようにすることが可能である。
【００６５】
この場合には、受光素子１１７ａでの受光光量Ｐｍｏｎｉは、半導体レーザに注入される電流値ＩＬＤに応じて略線形性を維持することでき（図１１参照）、半導体レーザから射出されるビーム（射出光）の光量を適切な光量に設定することができ、結果として所望の色の虚像を生成することができる。
【００６６】
具体的には、光路分岐素子１１９への入射光のビーム径をＤとしたときに、
２×ｄ×ｃｏｓθ×ｔａｎ［ａｒｃｓｉｎ（ｓｉｎθ÷ｎ）］≧０．５×Ｄ…（１）
（但し、ｎは光路分岐素子の屈折率、θは光路分岐素子への入射光の入射角）
を満たすように厚さｄを設定することにより、干渉の成分を殆ど無視できる。「ビーム径」は、例えばピーク強度値から１/ｅ２（１３．５％）に落ちたときの強度での幅と定義することができる。
【００６７】
詳述すると、例えばビームＢ０の強度分布がガウス分布であるとき、図２３に示されるようにビームＢ２と１次裏面反射ビームＢ４−１の強度分布もガウス分布となる。図２３では、ビームＢ２と１次裏面反射ビームＢ４−１は、一部（裾の部分）が重なり、この重なり部分では干渉が起こっているが、ピーク強度と比較して極めて低い強度であるため、ＩＬＤ−Ｐｍｏｎｉ特性には影響しない。
【００６８】
なお、半導体レーザの射出光の断面が軸対称な形状（きれいな楕円形）であればビーム径を例えば同一面積の円に置き換えて容易に求めることができるが、実際には、射出光の断面形状は多少崩れており、ビーム径を求めるのが困難な場合もある。
【００６９】
そこで、「光路分岐素子１１９への入射光のビーム径」に代えて「アパーチャの開口径」を上記（１）式のＤとしても良い。この場合、半導体レーザの射出光の断面形状によらず、厚さｄを適切な値に設定することが可能となる。
【００７０】
なお、「アパーチャの開口径」は、アパーチャの開口形状が円形である場合はその直径であり、アパーチャの開口形状が例えば楕円形、長方形、正方形等の円形以外の形状である場合はその開口面積と同一面積の円の直径である。
【００７１】
また、光路分岐素子１１９への入射光のビーム径に代えて、光路分岐素子１１９への入射光の有効ビーム径（Effective Beam Diameter）をＤとしても良い。この場合も、半導体レーザの射出光の断面形状によらず、厚さｄを適切な値に設定することが可能となる。
【００７２】
ここで、「有効ビーム径」は、測定されたビームのピーク強度に対して所定のパーセンテージ（例えば１０％〜９０％の所定％、好ましくは２０％〜８０％の所定％、より好ましくは３０％〜７０％の所定％）以上の強度をもつ部分の面積と等しい面積を、円の面積に置き換え、そのときの直径で定義される。なお、「有効ビーム径」を「アパーチャの開口径」によって設定しても良い。
【００７３】
なお、半導体レーザに代えて、例えば面発光レーザ（ＶＣＳＥＬ）を用いる場合には、射出光の断面形状が円形になるので、「光路分岐素子１１９への入射光のビーム径」を、シングルモードの場合にはピーク強度値から１/ｅ２（１３．５％）に落ちたときの強度での幅と定義し、マルチモードの場合はピーク強度値から１/ｅに落ちたときの強度での幅や半値幅（ピーク強度値の５０％での幅）と定義することが可能である。なお、「ビーム径」を「アパーチャの開口径」によって設定しても良い。無論、面発光レーザを用いる場合に、「光路分岐素子１１９への入射光の有効ビーム径」や「アパーチャの開口径」をＤとしても良い。
【００７４】
厚さｄを上記（１）式が満足される最小値よりも十分に厚くすることができ、かつビームＢ２と１次裏面反射ビームＢ４−１が環境変動や振動によって受光素子１１７ａからはみ出るようなことがなければ、ＩＬＤ−Ｐｍｏｎｉ特性は、図１１のようになる。
【００７５】
また、厚さｄを上記（１）式が満足される最小値よりも十分に厚くすることができれば、ビームＢ２とビームＢ４の１次裏面反射ビームＢ４−１の離間距離が大きくなるので、１次裏面反射ビームＢ４−１を図９に示されるように遮光部材１０５で遮光する方法を採ることができる。遮光部材１０５は、光を吸収する材料で構成することが好ましい。なお、遮光部材１０５は、光を光量モニタや虚像生成に影響しない方向へ反射させる部材としても良い。この場合に、遮光部材１０５からの光の反射方向に光吸収性を有する部材を配置しても良い。
【００７６】
この場合、上記（１）式が満たされ、かつビームＢ２が環境変動や振動によって受光素子１１７ａからはみ出るようなことがなければ、ＩＬＤ−Ｐｍｏｎｉ特性は、図１１のようになる。
【００７７】
しかし、本実施形態のように波長が異なる複数のビームをそれぞれ光路分岐素子１１９で分岐させる場合、各ビームの光路が異なるので、光路分岐素子１１９の厚さｄをあまり厚くできないこともある。
【００７８】
このように厚さｄを上記（１）式が満足される最小値よりも十分に厚くすることができない場合には、ビームＢ２と１次裏面反射ビームＢ４−１の離間距離をあまり大きくできないので、ビームＢ２と１次裏面反射ビームＢ４−１を図１０のように受光素子１１７ａに入射させる構成を採用しても良い。
【００７９】
この場合、上記（１）式が満たされ、かつビームＢ２と１次裏面反射ビームＢ４−１が、環境変動や振動によって受光素子１１７ａからはみ出るようなことがなければ、ＩＬＤ−Ｐｍｏｎｉ特性は、図１１のようになる。
【００８０】
また、光路分岐素子１１９の厚さｄを、上記（１）式を満足するように設定できれば、光路分岐素子１１９の両面（入射側面１１９ａ及び射出側面１１９ｂ）をノンコート（反射防止膜でコートしないこと）にすることができる。
【００８１】
ノンコートによりコストが低減できるメリットがあるが、それ以上に反射防止膜による分光特性を考慮する必要がなくなり、半導体レーザから射出されるビームの波長変動に起因する反射率／透過率の変動を低減できる。
【００８２】
反射防止膜の分光特性は、理想的には波長に依存して滑らかに変化することが好ましいが、実際は微小なノイズ成分を有しており（図１２参照）、これがＩＬＤ−Ｐｍｏｎｉ特性のうねり成分として発現することがある。反射防止膜の分光特性の微小ノイズ成分を低減することは技術的に極めて困難であるため、光路分岐素子１１９をノンコートにすることができれば、より好ましい形でＩＬＤ−Ｐｍｏｎｉ特性を取得することができる。
【００８３】
ここで、図１３において、光路分岐素子１１９は屈折率ｎ＝１．５の材質で構成されている。この光路分岐素子１１９に対して入射角θ（＝４５°）でｐ偏光の入射ビームＢ０が入射している。光路分岐素子１１９は両面ともにノンコートであり、入射側面１１９ａの反射率の入射角依存性は図１４のようになっている。よって、入射角θ＝４５°の入射側面１１９ａにおける反射率Ｒｉｎ＝０．８５％である。
【００８４】
また、図１３において、射出側面１１９ｂに対するビームＢ１の入射角φは、φ＝ｓｉｎ−１（ｓｉｎ４５°／１．５）＝２８．１３°であり、射出側面１１９ｂの反射率の入射角依存性は図１５のようになっている。よって、入射角φ＝２８．１３°の射出側面１１９ｂにおける反射率Ｒｏｕｔ＝０．８５％である。
このとき、
Ｐ１＝Ｐ０×（１−Ｒｉｎ）×（１−Ｒｏｕｔ）＝０．９８Ｐ０
Ｐ２＝Ｐ０×Ｒｉｎ＝０．０１Ｐ０
であり、Ｐ１≫Ｐ２というＨＵＤ装置１００にとって理想的な状況を作ることができる。
【００８５】
また、このときの光路分岐素子１１９の厚さｄは、ビームＢ２、ビームＢ４それぞれのビームスポットサイズωが２ｍｍであったので、ｄ＝２ｍｍとしている。このとき、２×ｄ×ｃｏｓθ×ｔａｎ［ａｒｃｓｉｎ（ｓｉｎθ÷ｎ）］＝１．５１ｍｍとなり、上記（１）式を満たしており、干渉を防止できていることがわかる。
【００８６】
上記の例では、光路分岐素子１１９に対する入射ビームＢ０をｐ偏光の直線偏光としたが、ｓ偏光とすることもできる。しかし、光路分岐素子１１９に対して入射角θ（＝４５°）でｓ偏光の入射ビームＢ０を入射させると、入射側面１１９ａにおける反射率Ｒｉｎ＝９．２％、射出側面１１９ｂにおける反射率Ｒｏｕｔ＝９．２％となる。
このとき、
Ｐ１＝Ｐ０×（１−Ｒｉｎ）×（１−Ｒｏｕｔ）＝０．８２Ｐ０
Ｐ２＝Ｐ０×Ｒｉｎ＝０．１Ｐ０
であり、ｐ偏光のときに比べてＰ１が減り、Ｐ２が増えてＨＵＤ装置１００にとって理想的な状況を作ることができない。
【００８７】
実際、図１５から分かるように、ｓ偏光の反射率は４％以下になることはなく、ｐ偏光と同じ状況を作ることは原理的にできない。仮にＲｉｎ＝５％としても、入射角θ＝２５°近傍で、光路分岐素子１１９のレイアウト性を著しく悪くする。
【００８８】
このような事情から、光路分岐素子１１９に対する入射ビームの偏光はｐ偏光とするのが好ましいことが理解できる。
【００８９】
具体的には、半導体レーザが、偏光方向（活性層に平行な方向）がαβ平面に平行になるように配置される場合には、例えば図６のような光路分岐素子１１９の配置（光路分岐素子１１９をαβ平面に対して垂直に配置）によって、光路分岐素子１１９に対する入射ビームＢ０はｐ偏光となる。
【００９０】
一方、半導体レーザが、偏光方向（活性層に平行な方向）がαβ平面に垂直になるように配置される場合には、例えば図２０のような光路分岐素子２０７の配置（光路分岐素子２０７をαβ平面に対して傾斜して配置）によって、光路分岐素子２０７に対する入射ビームＢ０はｐ偏光となる。
【００９１】
図６に戻り、ＬＤ制御回路７００は、波長推定部７００ａ、パワーバランス決定部７００ｂ、変調信号生成部７００ｃを含む。
【００９２】
波長推定部７００ａは、光検出器１１７の出力信号（受光光量に応じた信号）と温度センサ１３０の出力信号に基づいて、各半導体レーザの射出光の波長を推定する。
【００９３】
具体的には、波長推定部７００ａは、受光素子１１７ａでの受光光量Ｐｍｏｎｉ（光検出器１１７の出力信号）をモニタし、Ｐｍｏｎｉに対し、半導体レーザから受光素子１１７ａまでの光利用効率ηを演算して、現在の半導体レーザの発光光量Ｐに変換する（Ｐ＝Ｐｍｏｎｉ÷η）。
【００９４】
半導体レーザの発振方法としては、ＨＵＤ装置の虚像としてどのような情報を生成するかによって、さまざまなパルス発振が考えられるが、発光光量Ｐを「時間平均された時間平均光量」と定義すると、波長の推定が精度よくできることを発明者らは見出した。
【００９５】
ここで、波長推定部７００ａによって推定される波長（推定対象の波長）について説明する。
【００９６】
例えば、縦マルチモード発振のスペクトラム分布を発振波長帯域に有している半導体レーザでは、縦単一モード発振する半導体レーザと異なり、何を以ってこの半導体レーザの出射光の波長（推定対象の波長）と定めるかは、非常に難しい。
【００９７】
しかし、ＨＵＤ装置において虚像の色を生成することを考えた場合、推定対象の波長を、縦マルチモードにおけるピーク強度の−２０ｄＢ以上の強度を有する波長成分を加重平均した波長（以下では「加重平均波長」とも呼ぶ）と定義すると、この波長に基づいたパワーバランスと色生成の相関が非常に高いことが発明者らの検討で分かった。
【００９８】
−２０ｄＢよりも小さい強度を有する波長成分は、色生成の誤差としては殆んど無視できるし、また加重平均波長であれば、ＬＥＤなどで採用されているドミナント波長のように半導体レーザの色座標を求める必要がないので、測定も容易である。
【００９９】
一方、縦単一モード発振する半導体レーザでは、単一のスペクトルの波長そのものが推定対象の波長である。
【０１００】
ここで、上述の如く半導体レーザの射出光の波長は雰囲気温度依存性があるため、温度センサ１３０を、半導体レーザの雰囲気温度を取得できる位置に設置するのが好ましい。もちろん半導体レーザが収容されるパッケージ温度をモニタしても良いが、その場合には、その情報から雰囲気温度を抽出するプロセスが必要となり、波長推定精度が低下することが懸念される。
【０１０１】
また、半導体レーザのパルス発振を高速化するためには、ＬＤドライバ６１１１と半導体レーザの配線長は短い方が好ましいが、この場合、ＬＤドライバ６１１１の駆動による発熱が、回路基板２００のグランド層を伝搬し半導体レーザの温度上昇を助長する。すなわち、半導体レーザが収容されるパッケージ温度は、雰囲気温度、半導体レーザの温度、ＬＤドライバ６１１１の温度の３つの温度成分が合成された温度であるため、この温度から雰囲気温度を抽出するのは非常に困難である。
【０１０２】
そこで、本実施形態では、温度センサ１３０を、一例として、筐体１１ａ内における各半導体レーザからある程度離れたアパーチャ１１３Ｂの近傍に設置している。無論、他のアパーチャ近傍、反射ミラー近傍、光路合成素子近傍、集光レンズ近傍等の他の位置に設けても良いが、いずれにしても半導体レーザの周辺の雰囲気温度を計測するのに適正な距離範囲に設置することが望ましい。
【０１０３】
温度センサ１３０としては、半導体レーザ周辺の雰囲気の温度を計測可能な温度センサであれば良く、例えば熱電対、サーミスタ、測温抵抗体、放射温度計等が挙げられる。
【０１０４】
発明者らは、半導体レーザの種類に拠らず、射出光の波長の温度依存性が線形であることに着目し、この性質を利用することにより半導体レーザの射出光の波長を精度よく推定できることを見出した。
【０１０５】
そこで、本実施形態では、温度センサ１３０を用いて半導体レーザの周辺の雰囲気温度をモニタし、かつ光検出器１１７を用いて半導体レーザの発光光量をモニタすることにより、「雰囲気温度依存性」と「自己温度依存性」の両面から各半導体レーザの射出光の波長を推定することとしている。
【０１０６】
具体的には、波長推定部７００ａは、受光素子１１７ａでの受光光量をモニタするのに加えて、温度センサ１３０での計測温度をモニタし、半導体レーザの射出光の現在の波長を推定する。
【０１０７】
このとき、半導体レーザの射出光の現在の波長λは、
λ（０）：基準波長
α：雰囲気温度係数
Ｔａ：現在の雰囲気温度
Ｔａ（０）：基準波長測定時の雰囲気温度
β：光量係数
Ｐ：現在の発光光量
Ｐ（０）：基準波長測定時の発光光量
として、次の（２）式で表される。
λ＝λ（０）＋α×（Ｔａ−Ｔａ（０））＋β×（Ｐ−Ｐ（０））…（２）
【０１０８】
基準波長λ（０）は、上記加重平均波長であることが望ましい。この場合、実質的に現在の波長λも上記加重平均波長となる。
【０１０９】
上記（２）式を用いることで、現在の雰囲気温度、現在の発光光量がいかなる値であっても、現在の波長λを精度良く推定することができる。
【０１１０】
基準波長λ（０）は、もし半導体レーザから発振されるパルス条件が常に固定されている場合には、任意の雰囲気温度Ｔａ（０）、及び任意の光量Ｐ（０）における「ある１条件」で取得された波長で良いが、ＨＵＤ装置１００の虚像として生成される情報はさまざまであり、更に車外の輝度に応じてＨＵＤ装置１００の虚像の輝度も変える必要があることから、パルス発振が１つの条件で固定されているということは一般的に考えにくい。
【０１１１】
この場合、基準波長λ（０）は、Ｐ（０）＝０［Ｗ］における仮想的な波長と定義するのが好ましい。なぜならば、すべてのパルス条件で共通な状況は、Ｐ（０）＝０［Ｗ］以外にないからである。
【０１１２】
当然、Ｐ（０）＝０［Ｗ］という状況下で波長を実測することはできないが、図１６に示されるようにＰ１、Ｐ２、…、Ｐ５、Ｐ６と半導体レーザの発光光量を変化させ、それに対応した波長λ１、λ２、…、λ５、λ６から線形補間することで、Ｐ（０）＝０［Ｗ］における仮想的な波長を求めることができ、これが基準波長λ（０）である。この際、極短時間であれば、雰囲気温度は略一定とみなすことができるため、基準波長の測定誤差はほとんど生じない。
【０１１３】
なお、図１６では、半導体レーザの発光光量を６段階に変化させて各段階で波長を測定しているが、これに限らず、要は、半導体レーザの発光光量を少なくとも２段階に変化させて各段階で波長を測定すれば良い。大抵のＬＤは線形性が非常に良いため、例えば２段階（低発光光量と高発光光量）で波長の測定を行って得られた２つのプロットを通る直線と縦軸の交点（切片）として基準波長を求めることもできる。
【０１１４】
また、同一発振波長帯域（同一色）の半導体レーザ間でも、発振波長には±５ｎｍ程度の範囲の個体差があるため、個々の半導体レーザについて基準波長の測定を行うことが好ましい。
【０１１５】
一方、温度係数α、光量係数βは、半導体レーザ毎の個体差がほとんどないため、色毎に一定値に決まる。勿論、波長推定精度を高めるために、温度係数α、光量係数βを個体毎に予め測定して、その測定値を波長推定部７００ａのファームウェアに書き込んでも良い。
【０１１６】
図１６に示される基準波長を求めるプロセスは、波長測定器（例えばスペクトルアナライザ等）を用いて半導体レーザ毎に行われる。取得された基準波長、基準波長測定時の雰囲気温度、基準波長測定時の発光光量は、上記（２）式に代入される。具体的には、取得された基準波長、該基準波長測定時の雰囲気温度及び発光光量の数値が波長推定部７００ａのファームウェアに書き込まれる。
【０１１７】
波長推定部７００ａは、半導体レーザ１１１Ｒ、１１１Ｇ、１１１Ｂから異なるタイミングで射出され受光素子１１７ａで異なるタイミングで受光された光の受光光量Ｐｍｏｎｉ（赤）、Ｐｍｏｎｉ（緑）、Ｐｍｏｎｉ（青）をモニタし、そのモニタ情報から現在の半導体レーザの発光光量Ｐ（赤）、Ｐ（緑）、Ｐ（青）を算出する（Ｐ（赤）＝Ｐｍｏｎｉ（赤）÷η（赤）、Ｐ（緑）＝Ｐｍｏｎｉ（緑）÷η（緑）、Ｐ（青）＝Ｐｍｏｎｉ（青）÷η（青））。
【０１１８】
そして、波長推定部７００ａは、温度センサ１３０での現在の雰囲気温度Ｔａの情報から、各半導体レーザから射出されている光の現在の波長λを、上記（２）式により算出し、その算出結果をパワーバランス決定部７００ｂに送る。
【０１１９】
パワーバランス決定部７００ｂは、画像データの画素毎の色と３つの半導体レーザの現在の波長に基づいて、該色の光を生成するのに好適な（適正な）パワーバランスとなるように各半導体レーザの発光光量を設定し、その設定値を変調信号生成部７００ｃに送る。
【０１２０】
具体的には、例えば図１７に示される色度図において、３つの半導体レーザ１１１Ｒ、１１１Ｇ、１１１Ｂの現在の波長をそれぞれ６５０ｎｍ、５１５ｎｍ、４４５ｎｍすると、３つの半導体レーザ１１１Ｒ、１１１Ｇ、１１１Ｂのうち２つの半導体レーザの発光光量を適当に決めてある色Ｐを生成し、残る１つの半導体レーザの発光光量を所望の色（ターゲット色）となるよう色Ｐに応じた適切な値に設定する。図１７において６５０ｎｍ、５１５ｎｍ、４４５ｎｍの３点を頂点とする三角形の中の全ての色を生成可能である。図１７の馬蹄形の縁は「スペクトル軌跡」と呼ばれ、波長と色が対応するラインである。
【０１２１】
変調信号生成部７００ｃは、パワーバランス決定部７００ｂで設定された各半導体レーザの発光光量と画像データに基づいて、該半導体レーザ毎の変調信号を生成し、走査光検出部６０からの出力信号に基づく所定のタイミングでＬＤドライバ６１１１に出力する。
【０１２２】
これにより、３つの半導体レーザから射出光のパワーバランスが適正化されて所望の色の合成光が生成され、この合成光により画像描画領域が走査され、所望の色の虚像が表示される。
【０１２３】
すなわち、画像データの画素毎の色情報を忠実に再現した高品質なカラーの虚像を表示することが可能となる。
【０１２４】
以上、虚像の色に関して説明したが、虚像の明るさに関しては、例えば自動車の周囲の明るさを取得する照度センサの出力に応じて、３つの半導体レーザ１１１Ｒ、１１１Ｇ、１１１Ｂの設定後の発光光量の比を一定に保ちつつ各発光光量を一律に増減することで、虚像を所望の色かつ所望の明るさに制御することが可能である。この際、照度センサの出力が大きいほど、各半導体レーザの発光光量を大きく設定することが好ましい。
【０１２５】
以下に、本実施形態の光源装置３００を用いる色光生成処理（虚像表示処理）について図１８を参照して説明する。図１８のフローチャートは、ＬＤ制御回路７００によって実行される処理アルゴリズムに基づいている。この色光生成処理は、例えばＨＵＤ装置１００が搭載される自動車の電気系統がＯＮになりＨＵＤ装置１００が起動したときに開始される。ＨＵＤ装置１００が起動すると、光偏向器１５が動作を開始する。
【０１２６】
最初のステップＳ１では、少なくとも１つの半導体レーザを点灯する。具体的には、変調信号生成部７００ｃが、画像データの各画素の色に応じて点灯対象の半導体レーザの変調信号を生成し、走査光検出部６０の出力信号に基づく所定タイミングでＬＤドライバ６１１１に出力する。この結果、点灯対象の半導体レーザの変調信号に応じた駆動電流が該半導体レーザに印加され、画像データに応じた画像のスクリーン３０への描画、ひいては虚像の表示が開始される。
【０１２７】
次のステップＳ２では、所定回走査されたか否かを判断する。具体的には、走査光検出部６０の出力信号と光偏向器１５の水平走査周波数に基づいて、主走査方向における往復もしくは片道の走査回数をカウントし、カウント数が所定回になったときに、次のステップＳ３に移行する。すなわち、走査回数が所定回になるまで、待ちの状態となる。なお、「所定回」としては、往復走査単位でカウントする場合には１回〜少なくとも１フレーム分の往復走査の回数で良く、片道走査単位でカウントする場合には１回〜少なくとも１フレーム分の片道走査の回数で良い。
【０１２８】
ステップＳ３では、「発光光量設定処理」を実施する。発光光量設定処理の詳細については、後述する。
【０１２９】
次のステップＳ４では、少なくとも１つの半導体レーザを設定後の発光光量で点灯する。具体的には、ステップＳ３で設定された発光光量で点灯対象の半導体レーザを点灯する。これにより、３つの半導体レーザの射出光のパワーバランスが適正となり、所望の色の虚像が表示される。
【０１３０】
次のステップＳ５では、処理終了であるか否かを判断する。ＨＵＤ装置１００が搭載される自動車の電気系統がＯＮのとき、ここでの判断が否定されステップＳ２に戻り、ＯＦＦになったとき、ここでの判断が肯定されフローが終了する。
【０１３１】
なお、上記色光生成処理のステップＳ２では、所定回走査されたか否かを判断しているが、これに代えて、所定時間が経過したか否かを判断しても良い。
【０１３２】
以下に、上記色光生成処理のステップＳ３の「発光光量設定処理」について図１９を参照して説明する。図１９のフローチャートは、ＬＤ制御回路７００によって実行される処理アルゴリズムに基づいている。この発光光量設定処理は、走査光が有効走査領域（画像描画領域）に照射されない時間帯（画像描画されない時間帯）、例えば走査光が有効走査領域の周辺領域に照射されるときや、連続するフレーム間の遷移時間に実施される。
【０１３３】
最初のステップＳ１２では、半導体レーザ毎の時間平均光量を取得する。具体的には、信号処理部１２０からの、受光信号が時間平均された信号を取得する。
【０１３４】
次のステップＳ１３では、雰囲気温度を取得する。具体的には、温度センサ１３０での計測温度を取得する。
【０１３５】
次のステップＳ１４では、取得された時間平均光量（現在の発光光量）及び雰囲気温度（現在の雰囲気温度）に基づいて各半導体レーザの射出光の波長λを推定する。具体的には、上記（２）式を用いて波長λを推定する。
【０１３６】
次のステップＳ１５では、推定された波長λに基づいて、各半導体レーザの発光光量を設定する（図１７参照）。
【０１３７】
以上説明した本実施形態の光源装置３００は、第１の観点からすると、光源と、該光源からの光の光路上に配置され、該光を整形するアパーチャと、アパーチャで整形された光の光路上に配置され、入射光を透過光と反射光に分岐する平板状の光路分岐素子１１９（分岐素子）と、を備え、２×ｄ×ｃｏｓθ×ｔａｎ［ａｒｃｓｉｎ（ｓｉｎθ÷ｎ）］＞０．５×Ｄが成立する。
但し、ｄ：光路分岐素子の厚さ
ｎ：光路分岐素子の屈折率
θ：光路分岐素子に対する入射光の入射角
Ｄ：アパーチャの開口径
【０１３８】
また、本実施形態の光源装置３００は、第２の観点からすると、光源と、該光源からの光の光路上に配置され、入射光を透過光と反射光に分岐する平板状の光路分岐素子１１９（分岐素子）と、を備え、２×ｄ×ｃｏｓθ×ｔａｎ［ａｒｃｓｉｎ（ｓｉｎθ÷ｎ）］＞０．５×Ｄが成立する。
但し、ｄ：光路分岐素子の厚さ
ｎ：光路分岐素子の屈折率
θ：光路分岐素子に対する入射光の入射角
Ｄ：入射光の有効ビーム径
【０１３９】
また、本実施形態の光源装置３００は、第３の観点からすると、光源と、該光源からの光の光路上に配置され、入射光を透過光と反射光に分岐する平板状の光路分岐素子１１９（分岐素子）と、を備え、２×ｄ×ｃｏｓθ×ｔａｎ［ａｒｃｓｉｎ（ｓｉｎθ÷ｎ）］＞０．５×Ｄが成立する。
但し、ｄ：光路分岐素子の厚さ
ｎ：光路分岐素子の屈折率
θ：光路分岐素子に対する入射光の入射角
Ｄ：入射光のビーム径
【０１４０】
本実施形態の光源装置３００によれば、光路分岐素子１１９の入射側面１１９ａで反射された光と射出側面１１９ｂで反射された光の干渉を抑制できる。
【０１４１】
この場合、光源の発光光量の変化（駆動電流の電流値の変化）に対して反射光の光量を略リニアに（略線形に）変化させることができる。
【０１４２】
この結果、光源の発光光量を精度良く制御することが可能となる。
【０１４３】
また、上記第２及び第３の観点からの光源装置３００は、光源と光路分岐素子１１９との間の光の光路上に配置され、該光を整形するアパーチャを更に備え、アパーチャの開口径によってＤが設定されても良い。
【０１４４】
この場合、光源の射出光の断面形状によらず、Ｄを容易に設定できる。
【０１４５】
また、光源装置３００は、反射光の少なくとも一部を受光する受光素子１１７ａを更に備えることが好ましい。
【０１４６】
この場合、受光素子１１７ａの受光光量をモニタして、光源の発光光量を精度良く制御することができる。
【０１４７】
また、光路分岐素子１１９は、入射側及び射出側のいずれにも反射防止膜を有していないことが好ましい。
【０１４８】
この場合、入射側や射出側に反射防止膜を有している場合に比べて、分光特性にノイズが載ることを抑制でき、ひいては光源の発光光量変化（駆動電流変化）に対する反射光の光量変化の線形性が崩れるのを抑制できる。
【０１４９】
また、光源は偏光光源であり、光路分岐素子１１９に対する入射光が光路分岐素子１１９に対してｐ偏光となるように光源及び光路分岐素子１１９が配置されることが好ましい。
【０１５０】
この場合、透過光の光量≫反射光の光量とすることができ、例えば虚像生成に用いられる光の光量を十分に確保することができる。
【０１５１】
また、光源装置３００は、反射光のうち、光路分岐素子１１９の射出側面１１９ｂで反射され入射側面１１９ａから受光素子１１７ａに向けて射出された光を遮光する遮光部材１０５を更に備えていても良い。
【０１５２】
この場合、光路分岐素子１１９の入射側面１１９ａで反射された光を受光素子１１７ａに確実に導くことができ、光源の発光光量に応じた反射光の光量の線形性を向上することができる。
【０１５３】
また、受光素子１１７ａの受光面の大きさは、反射光のうち、光路分岐素子１１９の入射側面１１９ａで反射された光及び射出側面１１９ｂで反射された光を受光可能な大きさに設定されていても良い。
【０１５４】
この場合、光路分岐素子１１９の入射側面１１９ａで反射された光及び射出側面１１９ｂで反射された光を受光素子１１７ａに確実に導くことができ、光源の発光光量に応じた反射光の光量の線形性を向上することができる。
【０１５５】
また、光源は複数有り、複数の光源は発光波長が互いに異なり、複数の光源と光路分岐素子１１９との間の光の光路上に配置され、複数の光源からの光を合成する、光路合成素子１１４、１１５を有する合成手段と、を含んでいても良い。
【０１５６】
この場合、所望の合成光を生成することができる。
【０１５７】
また、複数の光源は、赤色光を射出する光源、緑色光を射出する光源及び青色光を射出する光源を含む。
【０１５８】
この場合、所望の色光（単色光もしくは複色光）を生成することができる。
【０１５９】
また、受光素子１１７ａでの受光光量に基づいて光源からの光の波長を推定する波長推定部７００ａ（推定手段）を更に備えることが好ましい。
【０１６０】
この場合、装置の大型化を抑制しつつ（例えば波長測定器等の大型の機器を設けることなく）、所望の色光を安定して生成するための情報（光源からの光の波長）を得ることができる。
【０１６１】
また、光源装置３００は、光源の周辺の雰囲気温度を計測する温度センサ１３０を更に備え、波長推定部７００ａは、受光光量及び温度センサ１３０での計測温度に基づいて光源からの光の波長を推定することが好ましい。
【０１６２】
この場合、光源からの光の波長を安定して精度良く推定できる。
【０１６３】
また、光源装置３００は、波長推定部７００ａで推定された光源からの光の波長に基づいて、光源の発光光量を設定するパワーバランス決定部７００ｂ（発光光量設定手段）を更に備えることが好ましい。
【０１６４】
この場合、所望の色光を安定して生成することができる。
【０１６５】
また、光源は、半導体レーザであることが好ましい。すなわち、本発明は、例えばレーザ光のようなコヒーレント光（干渉可能な光）を用いる場合に特に有効である。
【０１６６】
また、光源装置３００と、該光源装置３００からの光により画像を形成する光偏向器１５（画像形成素子）と、画像を形成した光が照射されるスクリーン３０と、を備えるＨＵＤ装置１００（画像表示装置）によれば、色再現性の良い画像を形成することが可能である。
【０１６７】
また、ＨＵＤ装置１００は、スクリーン３０を介した光をフロントウインドシールド５０（透過反射部材）に向けて投射する凹面ミラー４０（投光部）を更に備えるため、色再現性の良い虚像を表示することが可能である。
【０１６８】
また、ＨＵＤ装置１００と、ＨＵＤ装置１００が搭載される移動体と、を備える移動体装置によれば、色再現性の良い虚像による情報を移動体の運転者に提供することができる。
【０１６９】
［変形例１］
図２０には、変形例１の光源装置３００Ａが斜視図で示されている。
【０１７０】
この変形例１でも３波長の半導体レーザを用い、色光を生成して虚像を表示する。図２０において、符号２０１（ａ）、２０１（ｂ）、２０１（ｃ）はそれぞれ６５３ｎｍ（赤）、５１５ｎｍ（緑）、４５３ｎｍ（青）の半導体レーザを示す。符号２０２（ａ）、２０２（ｂ）、２０２（ｃ）はそれぞれカップリングレンズを示す。符号２０３（ａ）、２０３（ｂ）、２０３（ｃ）はそれぞれアパーチャを示す。符号２０４は青色半導体レーザ２０１（ｃ）から放射された青色ビームの光路を折り曲げるミラーを示す。符号２０５は青色ビームを透過し、且つ緑色半導体レーザ２０１（ｂ）から放射された緑色ビームを反射する２波長合成素子を示す。符号２０６は２波長合成素子２０５から射出された青色ビーム、緑色ビームを透過し、赤色半導体レーザ２０１（ａ）から放射された赤色ビームを反射する３波長合成素子を示す。符号２０７は３波長合成素子２０６から射出された赤色ビーム、緑色ビーム、青色ビームの一部を反射し、別の一部を透過する光路分岐素子を示す。符号２０８は集光レンズを示す。符号２０９は受光素子を示す。
【０１７１】
各半導体レーザから放射されたビームの波長は不図示の波長推定部によりタイムリーに測定され、その情報に基づいて不図示のパワーバランス決定部により、ＨＵＤ装置に表示させたい所望の色となる光量が算出され、算出された光量ＰＬＤ（赤）、ＰＬＤ（緑）、ＰＬＤ（青）になるように、受光素子２０９の受光光量に基づいて、それぞれの半導体レーザに注入すべき電流値ＩＬＤ（赤）、ＩＬＤ（緑）、ＩＬＤ（青）が決定される。
【０１７２】
各半導体レーザから放射されたビームの直線偏光は、光路分岐素子２０７に対してはｐ偏光入射となることが好ましい。一方、２波長合成素子２０５、３波長合成素子２０６に対してはｓ偏光入射となることが好ましい。この場合、２波長合成素子２０５、３波長合成素子２０６の合成面における膜の層数を少なくすることができ、該合成面の設計が容易になる。
【０１７３】
そこで、変形例１では、各半導体レーザは偏光方向（活性層に平行な方向）がαβ平面に垂直となるように配置され、かつミラー２０４、２波長合成素子２０５、３波長合成素子２０６における入射ビーム、及び合成ビームの光路がαβ平面に平行な同一平面上にあり光路分岐素子２０７で反射されたビームの光路がαβ平面に垂直な方向（＋γ方向）に曲げられ集光レンズ２０８を介して受光素子２０９へ導光されるレイアウトとされている。
【０１７４】
以上説明した変形例１の光源装置３００Ａでも、上記実施形態の光源装置３００と同様の作用、効果を得ることができる。
【０１７５】
なお、図６のような光路分岐素子１１９の配置でも、光路合成素子１１５と光路分岐素子１１９との間の光路上に１／２波長板を配置して偏光を９０°回転させることにより、上記変形例１と同様の作用、効果を得ることができる。
【０１７６】
［変形例２］
図２１には、変形例２の光源装置３００Ｂが示されている。
変形例２の光源装置３００Ｂは、図２１に示されるように、図６に示される光源装置３００の光路合成素子１１５を光路分岐素子１１９で置き換えた構成を有している。
【０１７７】
すなわち、変形例２の光源装置３００Ｂでは、光路分岐素子１１９は、光路合成素子としても機能する。
【０１７８】
詳述すると、合成光束Ｌｇｂは、一部が光路分岐素子１１９の中心を−β方向に透過し、残部が光路分岐素子１１９の中心で＋α方向に反射される。アパーチャ１１３Ｒを介した光束Ｌｒは、一部が光路分岐素子１１９の中心で−β方向に反射され、残部が光路分岐素子１１９の中心を＋α方向に透過する。
【０１７９】
すなわち、光路分岐素子１１９から、合成光束Ｌｇｂの一部と光束Ｌｒの一部が合成された合成光束Ｌｒｇｂ１が−β方向に出射され、合成光束Ｌｇｂの残部と光束Ｌｒの残部が合成された合成光束Ｌｒｇｂ２が＋α方向に出射される。
【０１８０】
合成光束Ｌｒｇｂ１は、筐体１１ａの開口の周囲部に該開口を覆うように取り付けられた光透過窓部材５を介して光偏向器１５に照射され、スクリーン３０上での画像描画（虚像表示）に用いられる。なお、光路分岐素子１１９と光偏向器１５との間の光路上に、例えば光偏向器１５側に凹面が向くメニスカスレンズを設置しても良い。
【０１８１】
合成光束Ｌｒｇｂ２は、集光レンズ１１６を介して光検出器１１７に導かれる。光検出器１１７は、受光した合成光束Ｌｒｇｂ２の光量に応じた信号（受光信号）を、波長推定部に出力する。波長推定部は、上記実施形態と同様に受光信号に基づいて半導体レーザの射出光の波長を推定し、その推定結果をパワー決定部に送る。パワー決定部は、波長推定部で推定された波長に基づいて半導体レーザの発光光量を設定し、その設定値を変調信号生成部に送る。変調信号生成部は、パワー決定部から発光光量の設定値に基づいて変調信号を生成し、ＬＤドライバに出力する。ＬＤドライバは、変調信号生成部からの変調信号に応じた駆動電流を生成し半導体レーザに印加する。
【０１８２】
以上説明した変形例２の光源装置３００Ｂでも、上記実施形態の光源装置３００と同様の作用、効果を得ることができる。
【０１８３】
［変形例３］
図２２には、変形例３の光源装置３００Ｃが示されている。
変形例３の光源装置３００Ｃは、上記実施形態の半導体レーザと同様の単一の半導体レーザ（光源）を有している。変形例３でも、射出光の波長を精度良く推定することにより、光源の発光光量を精度良く設定することができる。単一の半導体レーザを有する光源装置の用途としては、例えば二色画像を形成する画像形成装置、二色画像を表示する画像表示装置等が挙げられる。
【０１８４】
この場合、光源の射出光の波長を波長推定部で推定し、その推定結果に基づいてパワー設定部で発光光量を算出し、その算出結果に基づいて変調信号生成部で変調信号を生成することで、光源を所望の発光光量で点灯させることができ、ひいては所望の色光を生成できる。
【０１８５】
以上の説明では、半導体レーザの射出光の波長の雰囲気温度依存性と自己温度依存性の両面から射出光の波長を推定したが、例えば半導体レーザの雰囲気温度が略一定と見做せる環境下では、変形例４として、自己温度依存性のみ（受光素子１１７ａの受光光量もしくは平均化光量のみ）に基づいて射出光の波長を推定しても良い。この場合には、温度センサが設けられなくても良い。
【０１８６】
ここで、「半導体レーザの雰囲気温度が略一定と見做せる環境下」とは、ＨＵＤ装置１００が搭載される車両内の温度が空調によって略一定に保たれる場合や、本発明の光源及び波長推定装置を含む光源装置を備える画像表示装置としての、ヘッドマウントディスプレイ装置、プロンプタ装置、プロジェクタ装置を室内で使用する場合に該室内の温度が空調によって略一定に保たれている場合が想定される。
【０１８７】
具体的には、次の（３）式を用いて射出光の波長を推定することができる。
λ＝λ（０）＋β×（Ｐ−Ｐ（０））…（３）
但し、λ：現在の波長
λ（０）：基準波長
β：光量係数
Ｐ：現在の発光光量
Ｐ（０）：基準波長測定時の発光光量
【０１８８】
この場合も、上記実施形態と同様にして基準波長を求めることができる（図１６参照）。この場合、縦マルチモード発振する半導体レーザにおいて、推定対象の波長を、例えば上記加重平均波長としても良いし、ピーク強度での波長としても良い。
【０１８９】
なお、上記実施形態及び各変形例では、受光素子及び温度センサを含む波長推定装置を用いて各半導体レーザからの光の波長を推定しているが、これに限られない。例えば図６、図２０、図２１、図２２において受光素子の後段に波長推定装置の代わりに波長測定器を設けて、各半導体レーザを異なるタイミングで点灯させたときの波長測定器での測定結果（該半導体レーザからの光のスペクトル分布）から波長λ（好ましくは加重平均波長）を算出し、該波長λに基づいて複数の半導体レーザの発光光量を制御しても良い。なお、波長測定器としては、例えば光バンドパスフィルタを利用したスーパーヘテロダイン方式のスペクトルアナライザや、プリズムや回折格子を含む分光器を含んで構成することができる。
【０１９０】
また、波長推定装置もしくは波長測定器を複数の半導体レーザに対応して複数設けても良い。例えば、各半導体レーザからの光を分岐素子（例えば半導体レーザを収容するパッケージの開口（射出口）を覆うカバーガラスや、ハーフミラーや、ビームスプリッタ等）で分岐して、対応する波長推定装置や波長測定器に入射させても良い。
【０１９１】
また、半導体レーザとして端面発光型の半導体レーザを用いる場合には、一端面から射出された光を画像形成、虚像表示に用い、他端面から射出された光を対応する波長推定装置や波長測定器に入射させても良い。
【０１９２】
また、受光素子と波長測定器の双方を設けても良い。すなわち、各半導体レーザからの光の一部を画像形成、虚像表示に用い、他の一部を波長測定器に導き、残部を受光素子に導いても良い。この場合、例えば波長測定器での測定結果に基づいて複数の半導体レーザのパワーバランスを決定し、受光素子での受光光量に基づいて複数の半導体レーザの発光光量（出力）の絶対値を設定しても良い。
【０１９３】
また、上記実施形態及び各変形例において、波長推定部は、光源装置の構成要素でなくても良い。例えば、光源装置は、光源部１１のみから構成することもできる。要は、光源装置は、光源（例えば半導体レーザ）と光路分岐素子１１９を含んで構成されれば良く、さらにアパーチャを含むことが好ましい。
【０１９４】
また、上記実施形態及び各変形例では、半導体レーザとしてＬＤ（端面発光型の半導体レーザ）を用いているが、例えば面発光型の半導体レーザ（ＶＣＳＥＬ）等の他の半導体レーザを用いても良い。
【０１９５】
また、上記実施形態及び各変形例では、投光部は、凹面ミラー４０から構成されているが、これに限らず、例えば、凸面鏡から構成されても良い。
【０１９６】
また、上記実施形態及び各変形例では、走査ミラー２０を有しているが、有していなくても良い。すなわち、光偏向器１５で偏向された光を、光路を折り返さずに、スクリーン３０に直接照射もしくは凸面レンズを介して照射するようにしても良い。また、走査ミラー２０として平面鏡を用いても良い。
【０１９７】
また、上記実施形態及び各変形例では、画像表示装置（ＨＵＤ）は、例えば車両、航空機、船舶等の移動体に搭載用のものとして説明したが、要は、物体に搭載されるものであれば良い。なお、「物体」は、移動体の他、恒常的に設置されるものや運搬可能なものを含む。
【０１９８】
また、本発明は、上記実施形態で説明したようにＨＵＤ装置への適用が好適であるが、ＨＵＤ装置のみならず、例えばヘッドマウントディスプレイ装置、プロンプタ装置、プロジェクタ装置への適用も可能である。この場合も、所望の色光を生成することが可能である。
【０１９９】
例えば、プロジェクタ装置に適用する場合には、該プロジェクタ装置をＨＵＤ装置１００と同様に構成することができる。すなわち、凹面ミラー４０を介した画像光を映写幕や壁面等に投影すれば良い。なお、凹面ミラー４０を設けずにスクリーン３０を介した画像光を映写幕や壁面等に投影しても良い。また、凹面ミラー４０の代わりに自由曲面ミラーを用いても良い。
【０２００】
また、本発明の光源装置、画像表示装置及び物体装置は、上記実施形態及び各変形例で説明した具体的な構成に限定されず、適宜変更可能である。
【符号の説明】
【０２０１】
１５…光偏向器（画像形成素子）、３０…スクリーン、４０…凹面ミラー（投光部）、５０…フロントウインドシールド（透過反射部材）、１００…ＨＵＤ装置（画像表示装置）、１０５…遮光部材、１１３Ｒ、１１３Ｇ、１１３Ｂ…アパーチャ、１１４…光路合成素子（合成手段の一部）、１１５…光路合成素子（合成手段の一部）、１１７ａ…受光素子、１１９…光路分岐素子（分岐素子）、１１１Ｒ、１１１Ｇ、１１１Ｂ…半導体レーザ（光源）、３００、３００Ａ、３００Ｂ、３００Ｃ…光源装置、７００ａ…波長推定部（推定手段、光源装置の一部）、７００ｂ…パワーバランス決定部（発光光量設定手段、光源装置の一部）
【先行技術文献】
【特許文献】
【０２０２】
【特許文献１】特許第５３０４３８０号公報
【図１】
2018005162.tif 000003
【図２】
2018005162.tif 000004
【図３】
2018005162.tif 000005
【図４】
2018005162.tif 000006
【図５】
2018005162.tif 000007
【図６】
2018005162.tif 000008
【図７】
2018005162.tif 000009
【図８】
2018005162.tif 000010
【図９】
2018005162.tif 000011
【図１０】
2018005162.tif 000012
【図１１】
2018005162.tif 000013
【図１２】
2018005162.tif 000014
【図１３】
2018005162.tif 000015
【図１４】
2018005162.tif 000016
【図１５】
2018005162.tif 000017
【図１６】
2018005162.tif 000018
【図１７】
2018005162.tif 000019
【図１８】
2018005162.tif 000020
【図１９】
2018005162.tif 000021
【図２０】
2018005162.tif 000022
【図２１】
2018005162.tif 000023
【図２２】
2018005162.tif 000024
【図２３】
2018005162.tif 000025